(57)【特許請求の範囲】
【請求項１】
塵芥収容箱と、この塵芥収容箱に連設して設けられ、塵芥を投入するための投入口を後面に有する塵芥投入箱と、前記投入口より投入された塵芥を前記塵芥収容箱に積み込む動作を行う積込装置と、前記投入口を開閉する開閉蓋と、その上端が前記塵芥投入箱後部において軸支されており、その下端が前記開閉蓋の上部に軸支されている開閉アームと、前記塵芥投入箱の側壁に固設されており、前記積込装置の作動を制御するために当該積込装置の作動位置を検知する検知手段と、を備えた塵芥収集車であって、
少なくとも前記検知手段を覆うサイドカバーが、前記塵芥投入箱の側壁に固定されており、 
前記開閉蓋の開閉時に、前記開閉アームが、前記塵芥投入箱の両側壁の内側において回動し得るように構成されており、且つ
前記塵芥投入箱の投入口上部における当該塵芥投入箱の側壁上縁に沿って塵芥投入箱上面に凹部が形成されており、前記開閉アームの上端が、前記凹部の上部で軸支されており、前記開閉蓋の閉鎖位置において開閉アームが前記凹部内に収容されるように構成されていることを特徴とする塵芥収集車。 
【請求項２】
前記凹部の上部で軸支される開閉アーム上端の回転軸の一端が前記サイドカバー内に延設されて突出部を形成しており、その一端が前記塵芥投入箱の側壁に固定されるとともに、その他端が前記回転軸の突出部に連結されている弾性部材がサイドカバー内に配設されている請求項１に記載の塵芥収集車。
【請求項３】
塵芥収容箱と、この塵芥収容箱に連設して設けられ、塵芥を投入するための投入口を後面に有する塵芥投入箱と、前記投入口より投入された塵芥を前記塵芥収容箱に積み込む動作を行う積込装置と、前記投入口を開閉する開閉蓋と、その上端が前記塵芥投入箱後部において軸支されており、その下端が前記開閉蓋の上部に軸支されている開閉アームと、前記塵芥投入箱の側壁に固設されており、前記積込装置の作動を制御するために当該積込装置の作動位置を検知する検知手段と、を備えた塵芥収集車であって、
少なくとも前記検知手段を覆うサイドカバーが、前記塵芥投入箱の側壁に固定されており、 
前記開閉蓋の開閉時に、前記開閉アームが、前記塵芥投入箱の両側壁の内側において回動し得るように構成されており、且つ
前記塵芥投入箱の投入口上部における当該塵芥投入箱の側壁が上方に延設されて突出壁を形成しており、この突出壁と、当該突出壁と対向するように前記塵芥投入箱の後面上に設けられた壁部とで凹部が形成されており、前記開閉アームの上端が、前記凹部を構成する突出壁及び壁部の上部で軸支されており、前記開閉蓋の閉鎖位置において開閉アームが前記凹部内に収容されるように構成されていることを特徴とする塵芥収集車。
【請求項４】
前記突出壁及び壁部の上部で軸支される開閉アーム上端の回転軸の一端が前記サイドカバー内に延設されて突出部を形成しており、その一端が前記塵芥投入箱の側壁に固定されるとともに、その他端が前記回転軸の突出部に連結されている弾性部材がサイドカバー内に配設されている請求項３に記載の塵芥収集車。
【請求項５】
塵芥収容箱と、この塵芥収容箱に連設して設けられ、塵芥を投入するための投入口を後面に有する塵芥投入箱と、前記投入口より投入された塵芥を前記塵芥収容箱に積み込む動作を行う積込装置と、前記投入口を開閉する開閉蓋と、その上端が前記塵芥投入箱後部において軸支されており、その下端が前記開閉蓋の上部に軸支されている開閉アームと、前記塵芥投入箱の側壁に固設されており、前記積込装置の作動を制御するために当該積込装置の作動位置を検知する検知手段と、を備えた塵芥収集車であって、
少なくとも前記検知手段を覆うサイドカバーが、前記塵芥投入箱の側壁に固定されており、 
前記開閉蓋の開閉時に、前記開閉アームが、前記塵芥投入箱の両側壁の内側において回動し得るように構成されており、且つ
前記塵芥投入箱の投入口上部における当該塵芥投入箱の後面上に、断面略コの字状の部材が配設されて凹部を形成しており、前記開閉アームの上端が、前記凹部を構成する断面略コの字状の部材の上部で軸支されており、前記開閉蓋の閉鎖位置において開閉アームが前記凹部内に収容されるように構成されていることを特徴とする塵芥収集車。
【請求項６】
前記断面略コの字状の部材の上部で軸支される開閉アーム上端の回転軸の一端が前記サイドカバー内に延設されて突出部を形成しており、その一端が前記塵芥投入箱の側壁に固定されるとともに、その他端が前記回転軸の突出部に連結されている弾性部材がサイドカバー内に配設されている請求項５に記載の塵芥収集車。
【発明の詳細な説明】
【技術分野】
【０００１】
本発明は、生ごみや粗大ごみ等の塵芥を積み込むことができる塵芥収集車に関する。さらに詳しくは、塵芥を投入するための投入口の開閉蓋を開閉アームで開閉する塵芥収集車に関する。
【背景技術】
【０００２】
一般の塵芥収集車においては、塵芥を収容する塵芥収容箱の後部に、塵芥を投入するための投入口を後面に有する塵芥投入箱が連設されており、前記投入口には、手動で開閉させて当該投入口を開閉する開閉蓋が設けられている。そして、塵芥の積込に際しては、前記開閉蓋のロックを解除して当該開閉蓋を上方に持ち上げて投入口を開き、この投入口から塵芥を塵芥投入箱内に投入し、この投入された塵芥をプレス式又は回転板式の積込装置で前記塵芥収容箱に押し込むように構成されている。
【０００３】
前記開閉蓋の開閉には、例えば特許文献１に記載されているような開閉アームが用いられている。この特許文献１に記載されている開閉蓋は、その上端の両側に一対の支持軸が突設されており、この支持軸に開閉アームの一端（先端）が回転自在に結合されている。また、開閉アームの他端（基端）は、塵芥投入箱に固設された軸に回動自在に支持されている。そして、前記開閉アームの中間部には、当該開閉アームを上方に付勢するスプリングの一端が固定されており、開閉蓋下方に設けられたハンドルを操作してロックを解除すると、前記スプリングの付勢力によって開閉アームが前記軸を中心として回動し、これにより開閉蓋を少し持ち上げるようにするだけで簡単に当該開閉蓋を開けることができる。
【０００４】
【特許文献１】実開平６−５３５１１号公報
【発明の開示】
【発明が解決しようとする課題】
【０００５】
特許文献１における開閉アームは、塵芥投入箱の左右の側壁の外側に配設されているので、前記塵芥投入箱の左右側壁にサイドカバー（塵芥投入箱の側壁に配設された、当該塵芥投入箱開閉用のスイングシリンダや、積込装置の駆動シリンダや、前記シリンダの作動位置を検知するセンサ等を覆うためのカバー）を設ける際に、このサイドカバーの上面に切欠部ないしは開口部を形成し、前記開閉アームを回動させるためのスペースを確保する必要がある。しかしながら、サイドカバー上面に前記開口部を形成すると、塵芥収集車が走行している間に当該開口部から街路樹の枝や葉等の異物がサイドカバー内に入り込み、このサイドカバー内に配設されている前記位置検知センサが誤作動を起こすという問題がある。
【０００６】
本発明は、かかる事情に鑑みてなされたものであり、塵芥投入箱の側壁に固設されるサイドカバー内への異物の侵入を防止して、当該サイドカバー内に配設されているセンサの誤作動を確実に防ぐことができる塵芥収集車を提供することを目的としている。
【課題を解決するための手段】
【０００７】
本発明の第１の観点に係る塵芥収集車は、塵芥収容箱と、この塵芥収容箱に連設して設けられ、塵芥を投入するための投入口を後面に有する塵芥投入箱と、前記投入口より投入された塵芥を前記塵芥収容箱に積み込む動作を行う積込装置と、前記投入口を開閉する開閉蓋と、その上端が前記塵芥投入箱後部において軸支されており、その下端が前記開閉蓋の上部に軸支されている開閉アームと、前記塵芥投入箱の側壁に固設されており、前記積込装置の作動を制御するために当該積込装置の作動位置を検知する検知手段と、を備えた塵芥収集車であって、
少なくとも前記検知手段を覆うサイドカバーが、前記塵芥投入箱の側壁に固定されており、 
前記開閉蓋の開閉時に、前記開閉アームが、前記塵芥投入箱の両側壁の内側において回動し得るように構成されており、且つ
前記塵芥投入箱の投入口上部における当該塵芥投入箱の側壁上縁に沿って塵芥投入箱上面に凹部が形成されており、前記開閉アームの上端が、前記凹部の上部で軸支されており、前記開閉蓋の閉鎖位置において開閉アームが前記凹部内に収容されるように構成されていることを特徴としている。
【０００８】
本発明の塵芥収集車においては、塵芥投入箱の投入口の開閉蓋を開閉するための開閉アームが、前記塵芥投入箱の両側壁の内側において回動し得るように構成されているので、開閉アームの回動スペースを塵芥投入箱の側部に確保する必要がない、換言すれば、サイドカバーの上面に開口部を形成して開閉アームを回動させるためのスペースを確保する必要がない。このため、塵芥投入箱の側壁に固設されており、前記積込装置の作動を制御するために当該積込装置の作動位置を検知する検知手段をサイドカバーにて覆うことができ、当該サイドカバー内への異物（走行中にサイドカバーに接触する街路樹の枝や葉等）の侵入を防止することができる。その結果、異物の存在に起因する前記検知手段の誤作動を確実に防ぐことができる。なお、本明細書において「内側」とは、塵芥投入箱の側壁を仮想的に上方に立ち上げた場合において、この側壁から塵芥収集車の中心軸（車両の進行方向に平行な中心軸のこと）に向かう側のことであり、一方、「外側」とは、同じく前記側壁を基準として塵芥収集車の中心軸から離れる側のことである。
【０００９】
また、前記塵芥投入箱の投入口上部における当該塵芥投入箱の側壁上縁に沿って塵芥投入箱上面に凹部が形成されており、前記開閉アームの上端が、前記凹部の上部で軸支されており、前記開閉蓋の閉鎖位置において開閉アームが前記凹部内に収容されるように構成されている。この構成によれば、開閉蓋の閉鎖位置において開閉アームが前記凹部内に収容されるので、走行中に街路樹の枝が接触する等して当該開閉アームが損傷するのを防ぐことができる。
【００１０】
前記凹部の上部で軸支される開閉アーム上端の回転軸の一端が前記サイドカバー内に延設されて突出部を形成しており、その一端が前記塵芥投入箱の側壁に固定されるとともに、その他端が前記回転軸の突出部に連結されている弾性部材がサイドカバー内に配設されているのが好ましい。この場合、弾性部材を設けて開閉アームを上方回動方向に付勢しているので、開閉蓋の開放作業を容易に行うことができる、また、前記弾性部材がサイドカバー内に配設されているので、異物により前記弾性部材の動作に支障が生じることがなく、スムーズに開閉蓋の開放作業を行うことができる。
【００１１】
また、本発明の第２の観点に係る塵芥収集車は、塵芥収容箱と、この塵芥収容箱に連設して設けられ、塵芥を投入するための投入口を後面に有する塵芥投入箱と、前記投入口より投入された塵芥を前記塵芥収容箱に積み込む動作を行う積込装置と、前記投入口を開閉する開閉蓋と、その上端が前記塵芥投入箱後部において軸支されており、その下端が前記開閉蓋の上部に軸支されている開閉アームと、前記塵芥投入箱の側壁に固設されており、前記積込装置の作動を制御するために当該積込装置の作動位置を検知する検知手段と、を備えた塵芥収集車であって、
少なくとも前記検知手段を覆うサイドカバーが、前記塵芥投入箱の側壁に固定されており、 
前記開閉蓋の開閉時に、前記開閉アームが、前記塵芥投入箱の両側壁の内側において回動し得るように構成されており、且つ
前記塵芥投入箱の投入口上部における当該塵芥投入箱の側壁が上方に延設されて突出壁を形成しており、この突出壁と、当該突出壁と対向するように前記塵芥投入箱の後面上に設けられた壁部とで凹部が形成されており、前記開閉アームの上端が、前記凹部を構成する突出壁及び壁部の上部で軸支されており、前記開閉蓋の閉鎖位置において開閉アームが前記凹部内に収容されるように構成されていることを特徴としている。この構成によれば、開閉蓋の閉鎖位置において開閉アームが前記凹部内に収容されるので、走行中に街路樹の枝が接触する等して当該開閉アームが損傷するのを防ぐことができる。
【００１２】
前記突出壁及び壁部の上部で軸支される開閉アーム上端の回転軸の一端が前記サイドカバー内に延設されて突出部を形成しており、その一端が前記塵芥投入箱の側壁に固定されるとともに、その他端が前記回転軸の突出部に連結されている弾性部材がサイドカバー内に配設されているのが好ましい。この場合、弾性部材を設けて開閉アームを上方回動方向に付勢しているので、開閉蓋の開放作業を容易に行うことができる、また、前記弾性部材がサイドカバー内に配設されているので、異物により前記弾性部材の動作に支障が生じることがなく、スムーズに開閉蓋の開放作業を行うことができる。
【００１３】
また、本発明の第３の観点に係る塵芥収集車は、塵芥収容箱と、この塵芥収容箱に連設して設けられ、塵芥を投入するための投入口を後面に有する塵芥投入箱と、前記投入口より投入された塵芥を前記塵芥収容箱に積み込む動作を行う積込装置と、前記投入口を開閉する開閉蓋と、その上端が前記塵芥投入箱後部において軸支されており、その下端が前記開閉蓋の上部に軸支されている開閉アームと、前記塵芥投入箱の側壁に固設されており、前記積込装置の作動を制御するために当該積込装置の作動位置を検知する検知手段と、を備えた塵芥収集車であって、
少なくとも前記検知手段を覆うサイドカバーが、前記塵芥投入箱の側壁に固定されており、 
前記開閉蓋の開閉時に、前記開閉アームが、前記塵芥投入箱の両側壁の内側において回動し得るように構成されており、且つ
前記塵芥投入箱の投入口上部における当該塵芥投入箱の後面上に、断面略コの字状の部材が配設されて凹部を形成しており、前記開閉アームの上端が、前記凹部を構成する断面略コの字状の部材の上部で軸支されており、前記開閉蓋の閉鎖位置において開閉アームが前記凹部内に収容されるように構成されていることを特徴としている。この場合も、開閉蓋の閉鎖位置において開閉アームが前記凹部内に収容されるので、走行中に街路樹の枝が接触する等して当該開閉アームが損傷するのを防ぐことができる。
【００１４】
前記断面略コの字状の部材の上部で軸支される開閉アーム上端の回転軸の一端が前記サイドカバー内に延設されて突出部を形成しており、その一端が前記塵芥投入箱の側壁に固定されるとともに、その他端が前記回転軸の突出部に連結されている弾性部材がサイドカバー内に配設されているのが好ましい。この場合も、弾性部材を設けて開閉アームを上方回動方向に付勢しているので、開閉蓋の開放作業を容易に行うことができる、また、前記弾性部材がサイドカバー内に配設されているので、異物により前記弾性部材の動作に支障が生じることがなく、スムーズに開閉蓋の開放作業を行うことができる。
【発明の効果】
【００１５】
本発明の塵芥収集車によれば、塵芥投入箱の側壁に固設されるサイドカバー内への異物の侵入を防止して、当該サイドカバー内に配設されているセンサの誤作動を確実に防ぐことができる。
【発明を実施するための最良の形態】
【００１６】
以下、添付図面を参照しつつ、本発明の塵芥収集車の実施の形態を詳細に説明する。
図１は本発明の一実施の形態に係る塵芥収集車１の後部を示す側断面図である。この塵芥収集車１は、塵芥収容箱２と、この塵芥収容箱２の後部に連設して設けられる塵芥投入箱３とを備えている。塵芥投入箱３の後方（後面）には、塵芥が投入される投入口３ａが設けられており、また、この投入口３ａに対して上下にスライドして当該投入口３ａを開閉する開閉蓋３ｂが設けられている。さらに、前記塵芥投入箱３の前方下部には、塵芥を塵芥収容箱２に積み込むための開口部３ｄが設けられている。
【００１７】
塵芥投入箱３内には、前記投入口３ａより投入された塵芥を前記塵芥収容箱に積み込む動作を行う積込装置５０が配設されている。この積込装置５０では、塵芥投入箱３の左右の側壁３ｃに前方上部から後方下部にまっすぐに延びるガイドレール４がそれぞれ設けられており、このガイドレール４に沿って移動することができるスライダ５が設けられている。スライダ５の左右それぞれには一対のローラ６が取り付けられており、このローラ６がガイドレール４内を斜め上下に移動することができる。スライダ５は、ガイドレール４に沿って延びる左右一対の側面部材５ａと、これらの間で車幅方向に延びるプレート等（図示せず）とを有し、これらが接続されて一体化されたものである。また、スライダ５の下端部には、ピン７を介して押込板８が回動自在に取り付けられている。押込板８もまた、左右一対の側面部材８ａと、これらの間で車幅方向に延びるプレート等（図示せず）とを有し、これらが接続されて一体化されたものである。
【００１８】
塵芥投入箱３の両側壁３ｃには左右一対のプッシュシリンダ９の下端部がピン１０によりそれぞれ取り付けられており、ピストン先端部はピン１１によりスライダ５の側面部材５ａの上端部に接続されている。また、押込板８には、左右一対のプレスシリンダ１２の下端部がピン１３により接続されており、ピストン先端部は前記ピン１１により、スライダ５の側面部材５ａの上端部に接続されている。したがって、プッシュシリンダ９の伸長動作によりスライダ５は、押込板８とともに斜め前方に上昇し、収縮動作により斜め後方に下降する。これによりスライダ５は、一次圧縮及び押込に対応した往復動が可能となる。また、押込板８は、プレスシリンダ１２の伸長動作によりピン７を中心として時計廻り方向に回転し、収縮動作により反時計廻り方向に回動する。これにより、押込板８は、反転及び二次圧縮に対応した往復動が可能となる。
【００１９】
開閉蓋３ｂの下部には左右一対のブラケット２０（図３には、左側のブラケットだけが図示されている）が固定されており、各ブラケット２０に略Ｌ字状のハンドル２１の屈曲部が回動自在に軸支されている。前記ハンドル２１の一端には、ロックバー２２の内側端部が連結されており、当該ロックバー２２の外側端部付近には、ローラ２３が回転自在に設けられている。このローラ２３は、塵芥投入箱３の投入口３aの左右の縁に沿って上下方向に形成された断面略コの字状のガイドレール２４内に転動可能に配設されている。また、前記ロックバー２２におけるローラ２３よりも外側の端部は、先端に行くにしたがい径小にされており、前記ガイドレール２４の上下に穿設された係合孔２５と係合可能な係合突部２６を構成している。ロックバー２２の中間部には、当該ロックバー２２を外側に突出する方向に付勢するスプリング２７が設けられており、このスプリング２７の一端は、開閉蓋３ｂの裏面に突設され前記ロックバー２２の移動をガイドする孔が穿設されたガイドプレート２８に当接し、また他端はロックバー２２中間部において径方向外方に突設されたストッパ２９に当接している。
【００２０】
開閉蓋３ｂの閉鎖時においては、前記スプリング２７により外側に突出する方向に付勢されたロックバー２２の係合突部２６が係合孔２５内に進入して当該開閉蓋３ｂをロックしている。そして、ハンドル２１を把持することにより、前記スプリング２７の付勢力に抗してロックバー２２を内側に移動させて前記係合突部２６と係合孔２５との係合を解除させることができる。後述するように、開閉蓋３ｂには、開放方向への付勢力が作用していることから、係合を解除した状態で開閉蓋３ｂを上方に軽く持ち上げるだけで簡単に当該開閉蓋３ｂを開けることができる。
【００２１】
開閉アーム３０は、断面略コの字状の長尺材で作製されており、その上端は前記塵芥収容箱３後部において軸支されており、その下端は前記開閉蓋３ｂの上部に軸支されている。開閉アーム３０の上端には、前記開閉蓋３ｂを開放させるべく当該開閉アーム３０を上方に回動させる方向に付勢する弾性部材であるスプリング３１（図２〜３参照）が連結されており、このスプリング３１は、前記塵芥投入箱３の側壁上部を覆う略トレイ形状のサイドカバー４０内に配設されている。また、このサイドカバー４０内には、前記積込装置５０の作動を制御するために当該積込装置５０を構成するプッシュシリンダ９及びプレスシリンダ１２の作動位置を検知する検知手段である近接スイッチ４１が配設されている。具体的には、塵芥投入箱３の側壁に前記近接スイッチ４１が固設されている。
【００２２】
本発明の特徴は、前記開閉アームが、前記開閉蓋３ｂの閉鎖時において、前記塵芥投入箱３の内側において回動し得るように構成されていることである。具体的には、本実施の形態において、前記塵芥投入箱３の投入口３a上部における当該塵芥投入箱３の側壁３ｃ上縁に沿って塵芥投入箱上面に凹部４２が形成されており、前記開閉アーム３０の上端は、前記凹部４２の上部で軸支されている。
【００２３】
前記凹部４２は、図５に示されるように、塵芥投入箱３の後面３eの左右の縁部に、塵芥投入箱３の側壁３ｃ上縁に沿って切り欠きを形成し、この切り欠きに断面Ｌ字状の部材４３を、その一辺４３ａが前記側壁３ｃの内側面と対向するように配設することで形成されている。
【００２４】
図６は開閉アーム３０上部の連結部の説明図であり、開閉アーム３０の上端は、側壁３ｃ及び断面Ｌ字状の部材４３にそれぞれ固定されたスリーブ４４内に回転自在に配設された回転軸４５に固定されている。この回転軸４５の一端は、サイドカバー４０内に延設されて突出部４６を構成しており、この突出部４６に、径方向外方に向かう方向に連結部４７が固定されている。この連結部４７に、前述したスプリング３１の一端が接続されている。このスプリング３１の他端は塵芥投入箱３の側壁３ｃに固設された固定具４８に接続されている。前記スプリング３１によって、開閉アーム３０は、上方に回動する方向、換言すれば開閉蓋３ｃを引き上げて投入口３aを開放する方向に付勢されている。
【００２５】
本実施の形態では、塵芥投入箱３の投入口３aの開閉蓋３ｃを開閉するための開閉アーム３０が、前記塵芥投入箱３の両側壁３ｃの内側において回動し得るように構成されているので、開閉アーム３０の回動スペースを塵芥投入箱３の側部（側壁３ｃの外側部分）に確保する必要がない、換言すれば、サイドカバー４０の上面に開口部を形成して開閉アーム３０を回動させるためのスペースを確保する必要がない。このため、塵芥投入箱の側壁に固設されている前記近接スイッチ（検知手段）４１をサイドカバー４０にて覆うことができ、当該サイドカバー４０内への異物（走行中にサイドカバー４０に接触する街路樹の枝や葉等）の侵入を防止することができる。その結果、異物の存在に起因する前記近接スイッチ４１の誤作動を確実に防ぐことができる。
【００２６】
また、開閉蓋３ｂの閉鎖位置において開閉アーム３０が前記凹部４２内に収容されるように構成されているので、走行中に街路樹の枝が接触する等して当該開閉アーム３０が損傷するのを防ぐことができる。さらに、スプリング（弾性部材）３１を設けて開閉アーム３０を上方回動方向に付勢しているので、開閉蓋３ｂの開放作業を容易に行うことができ、また、前記スプリング３１がサイドカバー４０内に配設されているので、異物により前記スプリング３１の動作に支障が生じることがなく、スムーズに開閉蓋３ｂの開放作業を行うことができる。
【００２７】
図７は開閉アーム３０を収容する凹部４２の他の例の断面説明図である。この例では、前記塵芥投入箱３の投入口３a上部における当該塵芥投入箱３の側壁３ｃが上方に延設されて突出壁３ｆを形成しており、この突出壁３ｆと、当該突出壁３ｆと対向するように前記塵芥投入箱３の後面３e上に設けられた壁部４９とで凹部４２が形成されている。前記開閉アーム３０の上端は、前記凹部４２を構成する突出壁３ｆ及び壁部４９の上部で軸支されている。この例でも、開閉蓋３ｂの閉鎖位置において開閉アーム３０が前記凹部４２内に収容されるように構成されているので、走行中に街路樹の枝が接触する等して当該開閉アーム３０が損傷するのを防ぐことができる。また、この例においても、前述した実施の形態と同様にサイドカバー４０内にスプリング（弾性部材）３１を設けて開閉アーム３０を上方回動方向に付勢することができ、これにより開閉蓋３ｂの開放作業を容易に行うことができる。
【００２８】
図８は開閉アーム３０を収容する凹部４２のさらに他の例の断面説明図である。この例では、前記塵芥投入箱３の投入口３a上部における当該塵芥投入箱３の後面３e上に、断面略コの字状の部材５１が配設されて凹部４２を形成している。前記開閉アーム３０の上端は、前記凹部４２を構成する断面略コの字状の部材５１の上部で軸支されている。この例でも、開閉蓋３ｂの閉鎖位置において開閉アーム３０が前記凹部４２内に収容されるように構成されているので、走行中に街路樹の枝が接触する等して当該開閉アーム３０が損傷するのを防ぐことができる。また、この例においても、前述した実施の形態と同様にサイドカバー４０内にスプリング（弾性部材）３１を設けて開閉アーム３０を上方回動方向に付勢することができ、これにより開閉蓋３ｂの開放作業を容易に行うことができる。
【００２９】
なお、塵芥の積込装置としては、前記プレス式のもの以外に、従来から知られている、回転板と押込板とからなる回転板式の積込装置を用いることもでき、この場合でも、前記回転板や押込板の作動位置を検知する検知手段を、上部に開口部のないサイドカバー内に配設することができる。そして、サイドカバー内への異物の侵入を防止して、かかる異物の存在に起因する前記検知手段の誤作動を確実に防ぐことができる。
【図面の簡単な説明】
【００３０】
【図１】本発明の塵芥収集車の一実施の形態の後部を示す側断面図である。
【図２】図１に示される塵芥収集車における塵芥投入箱の側面説明図である。
【図３】塵芥投入箱の一部を車両後方から見た説明図である。
【図４】開閉蓋のハンドル部分の操作説明図である。
【図５】開閉アームを収容する凹部の例の断面説明図である。
【図６】開閉アーム上部の連結部の説明図である。
【図７】開閉アームを収容する凹部の他の例の断面説明図である。
【図８】開閉アームを収容する凹部のさらに他の例の断面説明図である。
【符号の説明】
【００３１】
１          塵芥収集車
２          塵芥収容箱
３          塵芥投入箱
３ａ          投入口
３ｂ          開閉蓋
３ｃ          側壁
３ｅ          後面
３ｆ          突出壁
２１          ハンドル
２２          ロックバー
２３          ローラ
２４          ガイドレール
２５          係合孔
２６          係合突部
３０          開閉アーム
３１          スプリング
４０          サイドカバー
４１          近接スイッチ
４２          凹部
４５          回転軸
４６          突出部
５０          積込装置
【図１】
0004576313.tif 000002
【図２】
0004576313.tif 000003
【図３】
0004576313.tif 000004
【図４】
0004576313.tif 000005
【図５】
0004576313.tif 000006
【図６】
0004576313.tif 000007
【図７】
0004576313.tif 000008
【図８】
0004576313.tif 000009